(57)【要約】      （修正有）【課題】山留壁の出隅部分であっても公知の裏込めピースを使用可能とする出隅調整具を提供する。【解決手段】山留壁の出隅部分において、一方の腹起に他方の腹起が当接または交差してなるコーナー部Ａ３と、山留壁を構成する杭Ｂとの間に裏込め材２０を配置するための、出隅調整具１０であって、前記裏込め材と接する受圧面１１と、前記一方の腹起と接する第１の対向面１２と、前記他方の腹起と接する第２の対向面１３と、前記一方の腹起Ａ１または他方の腹起Ａ２のうち何れか或いは両方に掛止可能な掛止部１４と、を少なくとも有することを特徴とする。【選択図】図１
0003192876.tif 000002
【実用新案登録請求の範囲】
【請求項１】
山留壁の出隅部分において、一方の腹起に他方の腹起が当接または交差してなるコーナー部と、山留壁を構成する杭との間に裏込め材を配置するための、出隅調整具であって、
前記裏込め材と接する受圧面と、
前記一方の腹起と接する第１の対向面と、
前記他方の腹起と接する第２の対向面と、
前記一方の腹起または他方の腹起のうち何れか或いは両方に掛止可能な掛止部と、
を少なくとも有することを特徴とする、出隅調整具。
【考案の詳細な説明】
【技術分野】
【０００１】
本考案は、山留支保工用の出隅調整具に関し、より詳しくは、一方の腹起に他方の腹起が当接または交差してなるコーナー部と、山留壁を構成する杭との間に裏込め材を配置するための、出隅調整具に関する。
【背景技術】
【０００２】
従来、山留壁と腹起との間には裏込め作業を行う必要がある。
この裏込め作業は、山留壁を構成する杭のフランジが、腹起の長手方向と略平行である場合には、前記杭のフランジと腹起との間に公知の裏込めピースを配置することで実現可能である。
しかし、例えば図３に示すように、山留壁の出隅部分、すなわち、一方の腹起ａ１に他方の腹起ａ２が突き当たってなるコーナー部ａ３と、山留壁を構成する杭ｂとの間で裏込め作業を行う場合、コーナー部ａ３に公知の裏込めピースがうまく配置できないため、コーナー部ａ３にモルタルｃを打設して裏込め部としなければならなかった。
【考案の概要】
【考案が解決しようとする課題】
【０００３】
前記したとおり、コーナー部での裏込め部の形成にモルタル打設を採用すると、モルタルの打設工程、撤去工程を要することとなり、工期の長期化・コスト増加の問題があった。
また、撤去したモルタルは、産業廃棄物となるため、廃棄コストの増加も懸念される。
そこで、前記のコーナー部であっても、公知の裏込めピースを用いることのできる方策の着想が望まれていた。
【０００４】
すなわち、本願考案は、山留壁の出隅部分であっても、公知の裏込めピースを用いることのできる手段の提供を目的の１つとするものである。
【課題を解決するための手段】
【０００５】
上記課題を解決すべくなされた本願の第１考案は、山留壁の出隅部分において、一方の腹起に他方の腹起が当接または交差してなるコーナー部と、山留壁を構成する杭との間に裏込め材を配置するための、出隅調整具であって、前記裏込め材と接する受圧面と、前記一方の腹起と接する第１の対向面と、前記他方の腹起と接する第２の対向面と、前記一方の腹起または他方の腹起のうち何れか或いは両方に掛止可能な掛止部とを少なくとも有することを特徴とする、出隅調整具を提供する。
【考案の効果】
【０００６】
本願考案によれば、腹起同士が当接または交差してなるコーナー部を裏込めする際にも、公知の裏込めブロックを用いることができ、従来のモルタル打設による裏込め部の形成方法と比較して、工期の短縮・コストの抑制が可能となる。
また、裏込め部の形成にモルタルを用いないため、産業廃棄物の発生を抑止することができる。
【図面の簡単な説明】
【０００７】
【図１】本考案における出隅調整具の使用例を示す概略斜視図。
【図２】本考案における出隅調整具の使用例を示す概略平面図。
【図３】従来の裏込め部の形成方法を示す概略平面図。
【考案を実施するための形態】
【０００８】
以下、図面を参照しながら本考案の実施形態について説明する。
【実施例１】
【０００９】
＜１＞全体構成
図１に、本考案における出隅調整具の使用例を示す概略斜視図を示す。
本考案に係る出隅調整具１０は、親杭横矢板工法やＳＭＷ工法で構築した山留壁の出隅部分において、裏込め材２０を支持するための部材である。  以下、使用箇所や各部材の詳細について説明する。
【００１０】
＜２＞使用箇所の詳細
本考案に係る出隅調整具は、一方の腹起Ａ１が他方の腹起Ａ２へと略直角に当接した箇所である、コーナー部Ａ３へと設置する。
このコーナー部Ａ３は、図１のように両腹起が同じ高さにあることで一方の腹起Ａ１が他方の腹起Ａ２に当接する場合だけでなく、各腹起が違う高さにあることで、一方の腹起Ａ１が他方の腹起Ａ２と交差してなる場合も含まれる。
一般的に腹起同士のコーナー部の角度は約９０度であるが、本考案では特に限定せず、９０度以外の角度も含むものとする。
【００１１】
＜３＞出隅調整具
出隅調整具１０は、前記コーナー部Ａ３と前記山留壁を構成する杭Ｂとの間に裏込め材２０を設置するための部材である。
杭Ｂは、親杭横矢板工法では親杭に相当し、ＳＭＷ工法では芯材に相当する。
出隅調整具１０は、裏込め材と接する受圧面１１と、コーナー部Ａ３を構成する各腹起と接する、第１の対向面１２および第２の対向面１３との、３種の面を少なくとも含む。
また、出隅調整具１０は、前記腹起の何れかに掛け止めるための掛止部１４を更に含む。
以下、各部について説明する。
【００１２】
＜３．１＞受圧面
受圧面１１は、裏込め材と接する面である。
よって、受圧面１１は、出隅調整具１０の設置時において、山留壁を構成する杭Ｂのフランジと略平行な角度を呈するように形成される。
【００１３】
＜３．２＞第１・第２の対向面
第１の対向面１２および第２の対向面１３は、コーナー部Ａ３を構成する各腹起と接する面である。
第１の対向面１２は、一方の腹起Ａ１のフランジに対向して接する面である。
第２の対向面１３は、他方の腹起Ａ２のフランジに対向して接する面である。
よって、第１の対向面１２と第２の対向面１３との間の角度は、前記コーナー部の角度に対応することとなる。
【００１４】
＜３．３＞掛止部
掛止部１４は、出隅調整具１０を、コーナー部Ａ３に位置決めするための部材である。
図１では、棒状の部材を鉤状に折り曲げ、後端を第１の当接面を構成する板材の内壁に溶接して掛止部１４としている。
この掛止部１４を一方の腹起Ａ１のフランジ部分に掛け止めることで、出隅調整具１０をコーナー部Ａ３の所定の箇所に位置決めしておくことができる。
掛止部は、単数でも複数でもよい。
また、掛止部は、一方の腹起Ａ１と他方の腹起Ａ２の両方に掛け止めるように構成することができる。
【００１５】
＜３．４＞裏込め材
裏込め材２０は、山留壁と腹起との間の隙間を埋めるための部材である。
一般的に、裏込め材２０は、裏込めブロック２１とライナー２２との組合せによって構成する。
裏込めブロック２１は、ユニブロックやブルブロックなどが知られている。
ライナー２２は、裏込めブロックと腹起との間の隙間を埋めるための部材であり、隙間の長さに応じて、複数枚を重ねて用いる方法が知られている。
【００１６】
＜４＞使用方法
本考案に係る出隅調整具１０の使用例について図２を参照しながら説明する。
前提として、構築済みの山留壁の出隅部分に対し、隣接して一方の腹起Ａ１と他方の腹起Ａ２が仮設してある状態を想定する。
まず、掛止対象である一方の腹起Ａ１に、本考案の出隅調整具１０を掛け止めてコーナー部Ａ３の所定の位置に設ける。
次に、山留壁を構成する杭Ｂのフランジ部分に裏込めブロック２１を取り付ける。
そして、裏込めブロック２１と出隅調整具１０との間の隙間を埋めるようにライナー２２を挟みこんでいく。
最後に、裏込めブロック２１を拡張させて、ライナー２２や受圧面１１を押し込み、裏込めブロック２１を固定する。裏込めブロック２１を拡張させる方法としては、裏込めブロック２１自身を押し広げたり、裏込めブロック２１に別途楔を打ち込んだりする方法がある。
以上の工程で裏込め材２０の設置を完了する。
【００１７】
本考案の出隅調整具によれば、腹起のフランジに対して山留壁の杭のフランジが平行していない箇所であっても、出隅調整具を介することで、通常の裏込めブロックを活用することができる。
【実施例２】
【００１８】
［出隅調整具の形状変更例］
図１，２では、受圧面１１，第１の対向面１２、第２の対向面１３を構成する各板材は連続して一体化され、平面視して三角形状を呈する、閉じた状態であるが、いるが、本考案は前記の形状に限定されず、例えば受圧面１１の各端部から伸びる第１の対向面１２と第２の対向面１３とを連結しない態様としても良い。
【符号の説明】
【００１９】
１０  出隅調整具
１１  受圧面
１２  第１の対向面
１３  第２の対向面
２０  裏込め材
２１  裏込めブロック
２２  ライナー
Ａ１  一方の腹起
Ａ２  他方の腹起
Ａ３  コーナー部
Ｂ    杭
ａ１  一方の腹起
ａ２  他方の腹起
ａ３  コーナー部
ｂ    杭
ｃ    モルタル
【図１】
0003192876.tif 000003
【図２】
0003192876.tif 000004
【図３】
0003192876.tif 000005